(57)【要約】【課題】アマチュア演奏家であっても、演奏中の音程調節が簡単な操作で確実に行えるティンパニの音程調節装置を提供する。【解決手段】音名に対応した音程選択釦７ａを備えた音程操作器７０を付設し、チューニングロッド９の上下固定位置に対応した設定値を、音程選択釦７ａに割り当てて記憶させる記憶手段１４と、複数のチューニングロッド９を上下に動作制御する駆動手段１０とを備え、音程選択釦７ａを選択操作することで、操作された音程選択釦７ａに対応した設定値にもとづいてヘッド５の張り具合を可変させる。【選択図】図２
2008070581.tif 000002
【特許請求の範囲】
【請求項１】
ケトル開口にヘッドを張設し、該ヘッドの張り具合を、ヘッドの周縁部に連結させた複数のチューニングロッドを上下に動作させることで可変させて、音程調節を可能としたティンパニの音程調節装置において、
音程選択釦を備えた音程操作器を付設し、上記チューニングロッドの上下固定位置に対応した設定値を、上記音程選択釦に割り当てて記憶させる記憶手段と、上記複数のチューニングロッドを上下に動作制御する駆動手段とを備え、
上記音程選択釦を選択操作することで、上記記憶手段に記憶させた設定値を読み出して、上記駆動手段を制御し、ヘッドの張り具合を可変させることを特徴とするティンパニの音程調節装置。
【請求項２】
請求項１において、
上記駆動手段は、上記チューニングロッドに連結されたボールネジ機構と、該ボールネジ機構を動作させるサーボモータと、サーボモータ制御回路とを備えており、上記音程操作器の音程選択釦の選択操作によって、上記記憶手段から読み出した設定値にもとづいて上記サーボモータを回転駆動させて、上記ボールネジ機構の上下動作をさせて、上記チューニングロッドの上下位置を制御する構成にしているティンパニの音程調節装置。
【請求項３】
請求項２において、
上記駆動手段を駆動して、上記チューニングロッドの上下位置を制御する手動レバーと、この手動レバーで上記ボールネジ機構を動作、停止を繰り返しながら、所望の停止位置で上記音程選択釦を所定操作することにより、その停止位置を所定操作された音程選択釦に対応した設定値に変換して上記記憶手段に記憶させるようにした手動設定手段とをさらに備えていることを特徴とするティンパニの音程調節装置。
【請求項４】
請求項２において、
音を入力し周波数を測定して音程を判別し、その判別信号を出力するチューニングメーターが接続され、かつ、
上記音程選択釦を所定操作することにより、上記駆動手段を駆動して、上記チューニングロッドの上下位置を一定速度で制御開始し、上記ボールネジ機構が動作開始した後に、上記チューニングメーターが上記ヘッドの打音を測定しながら判別、出力した音程の判別信号を入力すると同時に、上記駆動手段の駆動を停止して、その停止位置を上記所定操作された音程選択釦に対応した設定値に変換して上記記憶手段に記憶させるようにした自動設定手段をさらに備えていることを特徴とするティンパニの音程調節装置。
【請求項５】
請求項１〜４のいずれかにおいて、
上記音程操作器は、選択された音程を示す音程表示手段をさらに備えていることを特徴とするティンパニの音程調節装置。
【発明の詳細な説明】
【技術分野】
【０００１】
本発明は、ケトル本体開口に張設したヘッドの張り具合を、ヘッドの周縁部に連結させた複数のチューニングロッドを上下に動作させることで可変させて、音程調節を可能としたティンパニの音程調節装置の改良に関するものである。
【背景技術】
【０００２】
従来のティンパニは、音程（音高）を調節するためにヘッドの張り具合の調節を可能としたものがある。調節の仕方により、手締め式、ハンドル式、ペダル式に分類される。
【０００３】
これらのうち手締め式、ハンドル式のものは操作に時間がかかるため、演奏前などの調律で操作するにすぎず、演奏中に音程を変化させることはほとんどできないが、ペダル式のものは演奏中でも踏むだけで瞬間的にヘッドの張り具合を変えることができるため、もっとも多く利用されている。
【０００４】
このようなペダル式のものによれば、１つのティンパニで８〜１０半音の音域内で演奏することができる。通常、ティンパニはヘッドサイズの異なる４，５台で一組の演奏楽器を構成し、各ティンパニは同程度の長さの音域を有するため、重複音域を考慮しても、全体では２オクターブの音域を有している。そのため、その音域内での楽曲の主旋律の演奏も可能である。
【０００５】
図４は、従来のペダル式ティンパニの音程可変機構の一例を模式的に示した図で、（ａ）は全体の模式図、（ｂ）はヘッド緊張機構を示す一部断面を含む拡大側面図ある。この音程可変機構１００は、ペダル１０２を踏むほどヘッドが張って高い音に、緩めるほど張りが弱くなって低い音になる機構になっている。また、ヘッド１０３の張りを保持するためにペダルを踏みつづける必要はなく、踏んだときの位置に静止される構造となっている。
【０００６】
ペダル式ティンパニは、本体ベース（不図示）近傍に設けられたペダル１０２の踏み込み操作に連動して動作することによりケトル１０１に張設したヘッド１０３の張力を変化させる音高調節装置１０４を備えており、この音高調節装置１０４はスライディングシャフト１０５に取り付けられ、さらにテンションロッド１０６およびチューニングロッド１０７を介してヘッド緊張機構１０８に連結されている。ペダル１０２の踏み込み操作によって、スライディングシャフト１０５を上下動させることによりヘッド緊張機構１０８を動作させ、それによってヘッド１０３の張力を変化させるようになっている。図中の１１７は音高調節装置に接続したシリンダである。
【０００７】
ヘッド緊張機構１０８の一例を、図４（ｂ）の拡大側面図に示している。図中、１０９は本体ベース（不図示）に取り付けられ立設された中空のフレームで、６〜８本のフレーム１０９によって上方でケトル１０１を支持している。本図には、その１本のフレーム１０９に対応したヘッド緊張機構１０８を図示する。
【０００８】
フレーム１０９はその上端においてケトル支持リング１１０に固定されており、その固定箇所付近にはチューニングジョイント側板１１１が一端１１１ａにおいて軸承されている。また、その他端に設けた回転軸にはチューニングロッド１０７がその上端部１０７ａにおいて上下動自在に係合している。さらにその中央に設けた回転ナット１１３にはチューニングボルト１１４が下端部において螺合している。ボルト１１４の上端部には取付金具１１５を介してフープ１１６が取り付けられており、ヘッド１０３はケトル支持リング１１０に懸架支持されたケトル１０１の上縁を経てフープ１１６に把持されて緊張されている。
【０００９】
すなわち、ケトル１０１の全周にわたる複数のチューニングロッド１０７をペダル１０２の踏み込み操作によって同時に上下動させれば、各チューニングロッド１０７に対応したヘッド緊張機構１０８によって、全周よりヘッド１０３の緊張の度合を自在に変更することができる。
【００１０】
このようにペダル式ティンパニは、ペダル踏み込み操作が弦楽器（ギター、バイオリン、チェロなど）の左手操作のごとく作用して、このようなペダル操作だけでヘッド緊張機構を動作させてヘッドの張り具合を調節し、８〜１０半音の音域内で自在に音程の変更を可能としている。それによって、演奏中においても１台のティンパニで複数音程の打音を奏でることを可能としている。
【００１１】
次の文献など種々の文献には、ペダル式ティンパニの音高調節装置の改良発明が多く提案されている。
【特許文献１】特開昭５４−３７７１１号公報
【発明の開示】
【発明が解決しようとする課題】
【００１２】
ところで、上記ペダル式ティンパニにおいて、半音ごとの音名、ド、ド♯、レなどのそれぞれに対応したペダルの踏み込み位置は、弦楽器の左指の弦の押さえ位置と同様に、１点しか存在しないが、プロ演奏家などの熟練者はその位置を練習によって体得している。
【００１３】
しかしながら、ペダル式ティンパニのペダル操作は足によるものであるため、手操作に比べてはるかにその操作加減が困難であり、また弦楽器における左手操作が目視によって弦の押さえ位置を確認できることとは異なり、足の踏み込み位置を視認することはほとんど不可能であるため、ペダルの踏み込み加減を十分に体得していないアマチュア演奏家にとって、演奏中に音程変更することはきわめて困難である。
【００１４】
しかも、１組のティンパニは複数台で構成され、演奏曲によってはそれらを個別にかつ頻繁にペダル操作しなければならないため、熟練の演奏家でも、ときには体得したペダルの踏み込み位置が狂ってしまうこともある。
【００１５】
本発明は、このような事情を考慮して提案されたもので、その目的は、アマチュア演奏家であっても、演奏中の音程調節が簡単な操作で確実に行えるティンパニの音程調節装置を提供することにある。
【課題を解決するための手段】
【００１６】
上記目的を達成するために、請求項１に記載のティンパニの音程調節装置は、ケトル開口にヘッドを張設し、ヘッドの張り具合を、ヘッドの周縁部に連結させた複数のチューニングロッドを上下に動作させることで可変させて、音程調節を可能としたティンパニの音程調節装置において、音程選択釦を備えた音程操作器を付設し、チューニングロッドの上下固定位置に対応した設定値を、音程選択釦に割り当てて記憶させる記憶手段と、複数のチューニングロッドを上下に動作制御する駆動手段とを備え、音程選択釦を選択操作することで、記憶手段に記憶させた設定値を読み出して、駆動手段を制御し、ヘッドの張り具合を可変させることを特徴とする。
ここで、音程には、周波数で判断可能な音の高さの意味を含んでいる。
【００１７】
請求項２に記載の発明装置では、駆動手段は、上記チューニングロッドに連結されたボールネジ機構と、ボールネジ機構を動作させるサーボモータと、サーボモータ制御回路とを備えており、音程操作器の音程選択釦の選択操作によって、記憶手段から読み出した設定値にもとづいてサーボモータを回転駆動させて、ボールネジ機構の上下動作をさせて、チューニングロッドの上下位置を制御する構成にしている。
【００１８】
請求項３に記載の発明装置は、駆動手段を駆動して、チューニングロッドの上下位置を制御する手動レバーと、この手動レバーでボールネジ機構を動作、停止を繰り返しながら、所望の停止位置で上記音程選択釦を所定操作することにより、その停止位置を所定操作された音程選択釦に対応した設定値に変換して記憶手段に記憶させるようにした手動設定手段とをさらに備えている。
【００１９】
請求項４に記載の発明装置は、音を入力し周波数を測定して音程を判別し、その判別信号を出力するチューニングメーターが接続され、かつ、音程選択釦を所定操作することにより、駆動手段を駆動して、チューニングロッドの上下位置を一定速度で制御開始し、ボールネジ機構が動作開始した後に、チューニングメーターがヘッドの打音を測定しながら判別、出力した音程の判別信号を入力すると同時に、駆動手段の駆動を停止して、その停止位置を所定操作された音程選択釦に対応した設定値に変換して記憶手段に記憶させるようにした自動設定手段をさらに備えている。
【００２０】
請求項５に記載の発明装置では、音程操作器は選択された音程を示す音程表示手段をさらに備えている。
【発明の効果】
【００２１】
請求項１、２に記載のティンパニの音程調節装置によれば、音程選択釦に割り当てたチューニングロッドの上下固定位置に対応した設定値でもって、複数のチューニングロッドを上下に動作制御する構成であるため、音程選択釦を選択操作するだけでヘッドの張り具合を可変させて音程調節をすることができる。
【００２２】
請求項３に記載のティンパニの音程調節装置によれば、上記設定値を、手動レバーによるボールネジ機構の動作制御と、音程選択釦の所定操作とにより記憶するようにしているので、ヘッドの調律が適正に、簡易にかつ短時間で行える。
【００２３】
請求項４に記載のティンパニの音程調節装置によれば、音程選択釦を所定操作してボールネジ機構を動作させながらヘッドを叩きつづけ打音を出していれば、チューニングメーターが音名を判別し、判別したタイミングの位置を操作した音程選択釦に割り付けて設定値として記憶できるので、各音程選択釦に対し適正な音高を確実に割り付けることができる。また、チューニングメーターを動作させておけばヘッドを叩きつづけるだけで設定値を自動設定できるので、演奏家や調律師でなくとも短時間で調律することができる。
【発明を実施するための最良の形態】
【００２４】
以下に、本発明の実施の形態について、添付図面とともに説明する。
【００２５】
図１は本発明の音程調節機能付きティンパニＴを模式的に示した外観斜視図、図２は音程調節装置Ａの要部ブロック図、図３は同ティンパニＴに付設した操作ボックス７の外観斜視図である。
【００２６】
本ティンパニＴは、キャスタ（不図示）を備えた本体ベース１と、本体ベース１に取り付けられ立設された複数の中空のフレーム２、２・・・と、本体ベース１によってフレーム２を介して支持されたケトル３と、ケトル３の開口にヘッド緊張機構４によって張設されたヘッド５と、フレーム２が固定されケトル３の周縁部を支持するケトル支持リング６とを備え、また音程調節装置Ａとして、ヘッド５周縁の適所には複数の音程操作釦７ａ、７ａ・・・を有した操作ボックス７を付設し、さらに本体ベース１の近傍には後述するサーボモータ１２やその制御回路１３を内蔵したコントローラボックス８を付設している。
【００２７】
また、図４（ｂ）にも示したように、フレーム２内にはヘッド緊張機構４に連結されたチューニングロッド９が貫通され、そのチューニングロッド９の下端は、本体ベース１内のテンションロッド１８に連結されている。なお、チューニングロッド９は図示するすべてのフレーム２に内装されているが、図１では一部のフレームについてのみチューニングロッド９を図示している。
【００２８】
本体ベース１内では複数のテンションロッド１８、１８・・・は、ベース１内に配設したボールネジ機構１１に連結されており、このボールネジ機構１１が、ベース１内に収容したサーボモータ１２によって動作可能に接続されている。
【００２９】
また、コントローラボックス８には、サーボモータ制御回路１３、記憶手段１４、設定手段１５などが内蔵されている。
【００３０】
一方、操作ボックス７はコントローラボックス８に接続され、サーボモータ１２、制御回路１３、ボールネジ機構１１で構成される駆動手段１０に対し操作信号を出力する。ボックス上面には、半音ごとの音名に対応した音程選択釦７ａが配設され、これらが音程操作器７０を構成する。また、上記サーボモータ１２を直接回転させる手動レバー７ｂ、後述する自動調律モードに切り替えるための自動調律切替スイッチ７ｃ、調律時の設定完了ランプ７ｆを備えている。
【００３１】
後述するように自動調律モードは、音程選択釦７ａの所定操作での各釦７ａへの設定が許可されたモードであり、そのような自動調律モードに切り替えるために自動調律切替スイッチ７ｃが設けられている。また、このスイッチ７ｃが演奏中に誤操作されないように、図示するような防止した保護カバー７ｅを設けている。
【００３２】
なお、手動レバー７ｂも、演奏中に操作すれば、その後の音程選択釦７ａの所定操作でサーボモータ１２が動作した位置に設定が変更されてしまうおそれがあるが、手動レバー７ｂが簡易に動作しない機構となっているため、保護カバーを設けていない。
【００３３】
音程選択釦７ａは、そのティンパニＴの全音域に含まれる半音ごとの音名に対応したもので、図例では、音列にしたがって、Ｆ、Ｆ＃、Ｇ、Ｇ＃、Ａ、Ａ＃、Ｂ、Ｃ、Ｃ＃、Ｄ、Ｄ＃の各釦が設けられている。なお、音名が表示されていることが望ましい。
【００３４】
また、音程選択釦７ａは半音ごとに対応したものに限られず、全音階（Ｆ、Ｇ、Ａ、Ｂ、Ｃ、Ｄ）、全音音階（半音ではなく全音ごとに区切った音）に対応させたものでもよい。また、半音よりも細分化した音に対応させたものでもよい。また、ヘッド５等が改良されティンパニが１オクターブ以上の音域に対応できるようになったとしても、適用は可能である。その場合には、音高の異なる同一の音名が存在するが、ピアノの鍵盤のように音高にしたがって順に並べれば問題はない。
【００３５】
さらに、それぞれの音程選択釦７ａに対応して表示ランプ７ｄが設けられており、音程選択釦７ａが選択され音程が変更されると、それに対応した表示ランプ７ｄが点灯するようになっている。音程表示手段としてはこのようなものに限られず、選択された音程の音名を文字表示できるような表示パネルでもよい。
【００３６】
また、図２、図３に示すように、後述する自動調律を行うためにチューニングメーター２０を本ティンパニＴに付加接続している。このチューニングメーター２０は、市販のものが使用できるが、少なくともヘッド５の打音の周波数を測定して半音ごとの音名を判別し、その音名判別信号をティンパニＴに出力できる構成を必要とする。チューニングメーター２０には例えば、音名に対応する周波数を検出したときに針が「０」に振れて音名ごとに異なるランプを点灯させるものがあるが、そのランプ点灯信号を音名判別信号に使用すればよい。なお、図３の２１はチューニングメーター２０がヘッド５の打音を検出するための外付けマイクである。
【００３７】
次に、駆動手段１０によるチューニングロッド９の上下位置の制御について説明する。
【００３８】
上述するように、複数のチューニングロッド９、９・・・に連結された複数のテンションロッド１８、１８・・・がボールネジ機構１１の上端に接続されており、サーボモータ１２の回転駆動によって、プーリー１６、ベルト１７を介して接続されたボールネジ機構１１のボールネジを上下動させ、それによりテンションロッド１８を介してチューニングロッド９を連動させ、上下位置を制御する。
【００３９】
サーボモータ１２は制御回路１３によって回転駆動され、その制御回路１３は不図示のＣＰＵや種々のプログラムによって制御される。
【００４０】
一方、記憶手段１４には、音程操作器７０の各音程選択釦７ａに対応した設定値が記憶されており、音程選択釦７ａが操作されたときには、プログラムが動作して該当の音程選択釦７ａに対応した設定値を読み出し、それにもとづいてサーボモータ１２を制御し、サーボモータ１２に接続されたボールネジ機構１１を動作させ、チューニングロッド９をその設定値に対応した固定位置まで移動させる。
【００４１】
この設定値は設定手段１５によって記憶させるもので、通常、演奏前などヘッド５の調律が必要なときに設定変更される。
【００４２】
また設定値は、音程選択釦７ａごとのチューニングロッド９の上下固定位置に対応するもの、つまりサーボモータ１２の制御用の絶対値に相当するもので、プログラムはこの絶対値にもとづいて、ボールネジ機構１１の現在位置を考慮したうえで、サーボモータ１２に対する制御パラメータを算出し、その制御パラメータでもってサーボモータ１２を制御する。
【００４３】
このように、半音ごとの音名に対応してチューニングロッド９制御用の正しい設定値を記憶保存していれば、演奏家は音程選択釦７ａを選択操作するだけでヘッド５の張り具合を可変させて音程変更をすることができる。そのため、アマチュア演奏家でもプロ並みに音程変更しながら演奏することができる。
【００４４】
また、ある音程で音を出した後、その音の余韻を残した（ヘッド５が振動している）状態で音程選択釦７ａを操作して音程変更すれば、音の発生中にヘッド５の張り具合が連続的に変動するため、変更前の音程から変更後の音程までの音をアナログ的になめらかに変化させることができる。つまり、グリッサンド奏法も可能である。
【００４５】
ついで、各音程に対応した設定値の登録、変更について説明する。
【００４６】
設定値の設定操作は、ヘッド５の張り具合を変えながらヘッド５を叩いて音を出し、音名に対応する位置（設定値）を音程選択釦に割り付ける作業で、つまり調律に相当する。調律には、手動、自動の２通りが選択可能であり、それらに対応して、手動設定手段１５ａ、自動設定手段１５ｂが動作して設定値を登録、変更する。
【００４７】
手動調律は、調律者がヘッド５を叩きその打音を聴きながら所望の音名や音程を判断して、音程選択釦７ａの所定操作により設定値を記憶するものである。なお、音名や音程の判断は、調律者自身の聴覚のみで行うほか、調律済みの楽器（例えばピアノ）、チューニングメーターなどを使用してもよい。
【００４８】
調律者は、手動レバー７ｂを操作することによって、それに接続された駆動手段１０が駆動して、チューニングロッド９の上下位置を移動させてヘッド５の張り具合を変動させていき、適所で手動レバー７ｂを止めてチューニングロッド９の位置を固定させ、その状態でヘッド５を叩いてその打音を調律者が判別する。このような操作、動作を繰り返しながら所望の音名に対応した音を判別したときに、該当する音程選択釦７ａの所定操作（例えば長押し、２度押しなど）をすると、手動設定手段１５ａが動作して、停止されたチューニングロッド９の停止位置に対応する制御用の絶対値を設定値として、その音程選択釦７ａに対応させて記憶手段１４に記憶保存する。
【００４９】
また、各音名選択釦７ａに対する設定の確認が容易に行えるように、各音程選択釦７ａの所定操作で設定登録が完了すると、設定完了ランプ７ｆを点灯させるようにしている。
【００５０】
このような操作を繰り返しながら、全音程選択釦７ａに対する設定値を記憶手段１４に記憶保存させる。
【００５１】
この手動設定手段１５ａによれば、簡易な操作だけで、各音程選択釦７ａに対し適正な音高を割り付けることができるので、演奏の合間などに、ヘッドの気温や湿度による変化にも即対応でき、調律が短時間で行える。また、手動でヘッド５の張り具合を手動レバー７ｂで直接動作する構成であるため、音程選択釦７ａに設定値を初期設定するときや、気温変化などで大幅な変更が必要なときの調律に向いている。
【００５２】
一方、自動調律は、接続されたチューニングメーター２０が判別した音名判別信号にもとづいて設定値を記憶するものである。この調律方法では、調律したい音名にあわせて、ヘッド５の張り具合をあらかじめその音名のチューニングメーター２０の針の振れる範囲に調節しておく必要があるが、調律前に設定したい音名の音程選択釦７ａを操作しておけば、ヘッド５の張り具合を少なくともその音程選択釦７ａの現在設定値に合わせることができるため、概ねメーターの針の振れる範囲内に事前調節しておくことができる。つまり、この自動調律は、演奏の合間など設定前後で設定値に極端な狂いのない場合の調律に向いている。
【００５３】
調律者は、設定したい音程選択釦７ａを操作して直前に設定されたヘッド５の張り具合に事前調節しておき、自動調律切替スイッチ７ｃを操作して自動調律モードにした後（事前調節と自動調律モードへの切替操作は逆順でもよい）、さらに同じ音程選択釦７ａを所定操作すると、自動設定手段１５ｂは、移動開始信号を駆動手段１０に送出してチューニングロッド９の上下位置を一定速度で移動させ、ヘッド５の張り具合が変動されていくが、そのチューニングロッド９の上下移動開始とともに調律者がヘッド５を叩きつづけると、チューニングメーター２０が操作された音程選択釦７ａに対応した音名に対応した周波数を検出し、自動設定手段１５ｂは、その音名に対応した判別信号を受信すると、駆動手段１０を停止させてチューニングロッド９の移動を停止させる。自動設定手段１５ｂは、停止されたチューニングロッド９の停止位置に対応する制御用の絶対値を設定値として、その音程選択釦７ａに対応させて記憶手段１４に記憶保存する。
【００５４】
自動設定手段１５ｂが稼動中は、設定完了ランプ７ｆが点滅し、その音程選択釦７ａに対する設定が完了すれば、設定完了ランプ７ｆは消灯する。
【００５５】
また、上記音程選択釦７ａの所定操作後には、いったんメーターの針の振れる範囲の最下限（低周波数つまりヘッド５の張り具合の緩い位置）にチューニングロッド９を動作させておき、その位置から一定速度でヘッド５を締めていくことが望ましい。
【００５６】
なお、上記音程選択釦７ａの所定操作は長押しなどの特殊操作でもよいが、すでに自動調律モードになっているため、通常の１回操作でもよい。
【００５７】
この自動設定手段１５ｂによれば、打音がチューニングメーター２０の針の振れる範囲内であれば、確実に各音程選択釦７ａに対し適正な音高を確実に割り付けることができる。また、チューニングメーター２０を動作させておけばヘッド５を叩きつづけるだけで設定値を自動設定できるので、演奏家や調律師でなくとも短時間で調律することができる。また、設定完了ランプ７ｆで設定完了を視認できるので、設定登録作業を確実に行える。
【００５８】
上記の自動調律は、事前調節のための１回目の音程選択釦７ａの操作と、設定変更動作のための２回目の音程選択釦７ａの操作（所定操作）とを必要とするが、自動調律モードに切り替えた後に音程選択釦７ａを１回操作するだけで、事前調節と設定変更動作との両方をさせるようにしてもよい。
【図面の簡単な説明】
【００５９】
【図１】音程調節機能付きティンパニ装置の外観斜視図。
【図２】本発明のティンパニの音程調節装置の要部ブロック図。
【図３】操作ボックスの外観図。
【図４】従来のペダル式ティンパニの音程可変機構の一例を模式的に示した図で、（ａ）は全体の模式図、（ｂ）はヘッド緊張機構を示す一部断面を含む拡大側面図。
【符号の説明】
【００６０】
Ｔ      音程調節機能付きティンパニ
Ａ      ティンパニの音程調節装置
１      本体ベース
２      フレーム
３      ケトル
４      ヘッド緊張機構
５      ヘッド
７０      音程操作器
７ａ      音程操作釦
７ｂ      手動レバー
７ｃ      自動調律切替スイッチ
９      チューニングロッド
１１      ボールネジ機構
１２      サーボモータ
１３      制御回路
１４      記憶手段
１５ａ      手動設定手段
１５ｂ      自動設定手段
２０      チューニングメーター
【図１】
2008070581.tif 000003
【図２】
2008070581.tif 000004
【図３】
2008070581.tif 000005
【図４】
2008070581.tif 000006
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
ケトル開口にヘッドを張設し、該ヘッドの張り具合を、ヘッドの周縁部に連結させた複数のチューニングロッドを上下に動作させることで可変させて、音程調節を可能としたティンパニの音程調節装置において、
音程選択釦を備えた音程操作器を付設し、上記チューニングロッドの上下固定位置に対応した設定値を、上記音程選択釦に割り当てて記憶させる記憶手段と、上記複数のチューニングロッドを上下に動作制御する駆動手段とを備え、
上記駆動手段は、上記チューニングロッドに連結されたボールネジ機構と、該ボールネジ機構を動作させるサーボモータと、サーボモータ制御回路とを備えており、上記音程選択釦が選択操作されたときに、上記記憶手段に記憶させた上記設定値を読み出し、上記読み出した設定値にもとづいて上記サーボモータを回転駆動させて、上記ボールネジ機構の上下動作をさせて、上記チューニングロッドを移動制御して、上記ヘッドの張り具合を可変させることを特徴とするティンパニの音程調節装置。
【請求項２】
請求項１において、
上記駆動手段を駆動して、上記チューニングロッドの上下位置を制御する手動レバーと、この手動レバーで上記ボールネジ機構を動作、停止を繰り返しながら、所望の停止位置で上記音程選択釦を所定操作することにより、その停止位置を所定操作された音程選択釦に対応した設定値に変換して上記記憶手段に記憶させるようにした手動設定手段とをさらに備えていることを特徴とするティンパニの音程調節装置。
【請求項３】
請求項１において、
音を入力し周波数を測定して音程を判別し、その判別信号を出力するチューニングメーターが接続され、かつ、
上記音程選択釦を所定操作することにより、上記駆動手段を駆動して、上記チューニングロッドの上下位置の一定速度での移動制御を開始し、上記ボールネジ機構が動作開始した後に、上記チューニングメーターが上記ヘッドの打音を測定しながら判別、出力した音程の判別信号を入力すると同時に、上記駆動手段の駆動を停止して、その停止位置を上記所定操作された音程選択釦に対応した設定値に変換して上記記憶手段に記憶させるようにした自動設定手段をさらに備えていることを特徴とするティンパニの音程調節装置。
【請求項４】
請求項１〜３のいずれかにおいて、
上記音程操作器は、選択された音程を示す音程表示手段をさらに備えていることを特徴とするティンパニの音程調節装置。
【手続補正２】
【補正対象書類名】明細書
【補正対象項目名】００１６
【補正方法】変更
【補正の内容】
【００１６】
上記目的を達成するために、請求項１に記載のティンパニの音程調節装置は、ケトル開口にヘッドを張設し、ヘッドの張り具合を、ヘッドの周縁部に連結させた複数のチューニングロッドを上下に動作させることで可変させて、音程調節を可能としたティンパニの音程調節装置において、音程選択釦を備えた音程操作器を付設し、チューニングロッドの上下固定位置に対応した設定値を、音程選択釦に割り当てて記憶させる記憶手段と、複数のチューニングロッドを上下に動作制御する駆動手段とを備え、その駆動手段は、チューニングロッドに連結されたボールネジ機構と、ボールネジ機構を動作させるサーボモータと、サーボモータ制御回路とを備えており、音程選択釦が選択操作されたときに、記憶手段に記憶させた設定値を読み出し、読み出した設定値にもとづいてサーボモータを回転駆動させて、ボールネジ機構の上下動作をさせて、上記チューニングロッドを移動制御して、ヘッドの張り具合を可変させることを特徴とする。
ここで、音程には、周波数で判断可能な音の高さの意味を含んでいる。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
請求項２に記載の発明装置は、駆動手段を駆動して、チューニングロッドの上下位置を制御する手動レバーと、この手動レバーでボールネジ機構を動作、停止を繰り返しながら、所望の停止位置で上記音程選択釦を所定操作することにより、その停止位置を所定操作された音程選択釦に対応した設定値に変換して記憶手段に記憶させるようにした手動設定手段とをさらに備えている。
【手続補正５】
【補正対象書類名】明細書
【補正対象項目名】００１９
【補正方法】変更
【補正の内容】
【００１９】
請求項３に記載の発明装置は、音を入力し周波数を測定して音程を判別し、その判別信号を出力するチューニングメーターが接続され、かつ、音程選択釦を所定操作することにより、駆動手段を駆動して、チューニングロッドの上下位置の一定速度での移動制御を開始し、ボールネジ機構が動作開始した後に、チューニングメーターがヘッドの打音を測定しながら判別、出力した音程の判別信号を入力すると同時に、駆動手段の駆動を停止して、その停止位置を所定操作された音程選択釦に対応した設定値に変換して記憶手段に記憶させるようにした自動設定手段をさらに備えている。
【手続補正６】
【補正対象書類名】明細書
【補正対象項目名】００２０
【補正方法】変更
【補正の内容】
【００２０】
請求項４に記載の発明装置では、音程操作器は選択された音程を示す音程表示手段をさらに備えている。
【手続補正７】
【補正対象書類名】明細書
【補正対象項目名】００２１
【補正方法】変更
【補正の内容】
【００２１】
請求項１に記載のティンパニの音程調節装置によれば、音程選択釦に割り当てたチューニングロッドの上下固定位置に対応した設定値でもって、複数のチューニングロッドを上下に動作制御する構成であるため、音程選択釦を選択操作するだけでヘッドの張り具合を可変させて音程調節をすることができる。
【手続補正８】
【補正対象書類名】明細書
【補正対象項目名】００２２
【補正方法】変更
【補正の内容】
【００２２】
請求項２に記載のティンパニの音程調節装置によれば、上記設定値を、手動レバーによるボールネジ機構の動作制御と、音程選択釦の所定操作とにより記憶するようにしているので、ヘッドの調律が適正に、簡易にかつ短時間で行える。
【手続補正９】
【補正対象書類名】明細書
【補正対象項目名】００２３
【補正方法】変更
【補正の内容】
【００２３】
請求項３に記載のティンパニの音程調節装置によれば、音程選択釦を所定操作してボールネジ機構を動作させながらヘッドを叩きつづけ打音を出していれば、チューニングメーターが音名を判別し、判別したタイミングの位置を操作した音程選択釦に割り付けて設定値として記憶できるので、各音程選択釦に対し適正な音高を確実に割り付けることができる。また、チューニングメーターを動作させておけばヘッドを叩きつづけるだけで設定値を自動設定できるので、演奏家や調律師でなくとも短時間で調律することができる。
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
ケトル開口にヘッドを張設し、該ヘッドの張り具合を、ヘッドの周縁部に連結させた複数のチューニングロッドを上下に動作させることで可変させて、音程調節を可能としたティンパニの音程調節装置において、
音程選択釦を備えた音程操作器を付設するとともに、音を入力し周波数を測定して音程を判別し、その判別信号を出力するチューニングメーターが接続されており、
上記チューニングロッドの上下固定位置に対応した設定値を、上記音程選択釦に割り当てて記憶させる記憶手段と、
上記チューニングロッドに連結されたボールネジ機構、該ボールネジ機構を動作させるサーボモータ、およびサーボモータ制御回路を備え、上記音程選択釦が選択操作されたときに、上記記憶手段に記憶させた上記設定値を読み出し、上記読み出した設定値にもとづいて上記サーボモータを回転駆動させて、上記ボールネジ機構の上下動作をさせて、上記チューニングロッドを上下に移動制御して、上記ヘッドの張り具合を可変させる駆動手段と、
上記音程選択釦を所定操作することにより、上記駆動手段を駆動して、上記チューニングロッドの上下位置の一定速度での移動制御を開始し、上記ボールネジ機構が動作開始した後に、上記チューニングメーターが上記ヘッドの打音を測定しながら判別、出力した音程の判別信号を入力すると同時に、上記駆動手段の駆動を停止して、その停止位置を上記所定操作された音程選択釦に対応した設定値に変換して上記記憶手段に記憶させるようにした自動設定手段とを備えていることを特徴とするティンパニの音程調節装置。
【請求項２】
請求項１において、
上記音程操作器は、選択された音程を示す音程表示手段をさらに備えていることを特徴とするティンパニの音程調節装置。
【手続補正２】
【補正対象書類名】明細書
【補正対象項目名】００１６
【補正方法】変更
【補正の内容】
【００１６】
上記目的を達成するために、請求項１に記載のティンパニの音程調節装置は、ケトル開口にヘッドを張設し、ヘッドの張り具合を、ヘッドの周縁部に連結させた複数のチューニングロッドを上下に動作させることで可変させて、音程調節を可能としたティンパニの音程調節装置において、音程選択釦を備えた音程操作器を付設するとともに、音を入力し周波数を測定して音程を判別し、その判別信号を出力するチューニングメーターが接続されており、以下の構成となっている。すなわち、請求項１に記載のティンパニの音程調節装置は、チューニングロッドの上下固定位置に対応した設定値を、音程選択釦に割り当てて記憶させる記憶手段と、チューニングロッドに連結されたボールネジ機構、ボールネジ機構を動作させるサーボモータ、およびサーボモータ制御回路を備え、音程選択釦が選択操作されたときに、記憶手段に記憶させた設定値を読み出し、読み出した設定値にもとづいてサーボモータを回転駆動させて、ボールネジ機構の上下動作をさせて、チューニングロッドを上下に移動制御して、ヘッドの張り具合を可変させる駆動手段と、音程選択釦を所定操作することにより、駆動手段を駆動して、チューニングロッドの上下位置の一定速度での移動制御を開始し、ボールネジ機構が動作開始した後に、チューニングメーターがヘッドの打音を測定しながら判別、出力した音程の判別信号を入力すると同時に、駆動手段の駆動を停止して、その停止位置を上記所定操作された音程選択釦に対応した設定値に変換して記憶手段に記憶させるようにした自動設定手段とを備えていることを特徴とする。
ここで、音程には、周波数で判断可能な音の高さの意味を含んでいる。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】変更
【補正の内容】
【００２０】
請求項２に記載の発明装置では、音程操作器は選択された音程を示す音程表示手段をさらに備えている。
【手続補正６】
【補正対象書類名】明細書
【補正対象項目名】００２１
【補正方法】変更
【補正の内容】
【００２１】
本発明のティンパニの音程調節装置によれば、音程選択釦に割り当てたチューニングロッドの上下固定位置に対応した設定値でもって、複数のチューニングロッドを上下に動作制御する構成であるため、音程選択釦を選択操作するだけでヘッドの張り具合を可変させて音程調節をすることができる。
【手続補正７】
【補正対象書類名】明細書
【補正対象項目名】００２２
【補正方法】変更
【補正の内容】
【００２２】
また、上記設定値を、手動レバーによるボールネジ機構の動作制御と、音程選択釦の所定操作とにより記憶するようにすれば、ヘッドの調律が適正に、簡易にかつ短時間で行える。
【手続補正８】
【補正対象書類名】明細書
【補正対象項目名】００２３
【補正方法】変更
【補正の内容】
【００２３】
さらに本発明のティンパニの音程調節装置によれば、音程選択釦を所定操作してボールネジ機構を動作させながらヘッドを叩きつづけ打音を出していれば、チューニングメーターが音名を判別し、判別したタイミングの位置を操作した音程選択釦に割り付けて設定値として記憶できるので、各音程選択釦に対し適正な音高を確実に割り付けることができる。また、チューニングメーターを動作させておけばヘッドを叩きつづけるだけで設定値を自動設定できるので、演奏家や調律師でなくとも短時間で調律することができる。